(57)【要約】      （修正有）【課題】ゴルフのパッティング練習のために、優れた効果を奏するばかりではなく、簡単な構造かつ安価な材質から成り、かつ持ち運び及び着脱が著しく容易なゴルフパッティング練習用補助具を提供する。【解決手段】ゴルフパターのフェース４に着脱自在に装着可能なゴルフパッティング練習用補助具であって、１対の棒状体１から構成され、かつ各棒状体の少なくとも一つの面に例えば磁石などゴルフパターのフェースに装着するための手段２が備えられていることを特徴とするゴルフパッティング練習用補助具である。【選択図】図２
0003161816.tif 000002
【実用新案登録請求の範囲】
【請求項１】
ゴルフパターのフェースに着脱自在に装着可能なゴルフパッティング練習用補助具であって、１対の棒状体から構成され、かつ各棒状体の少なくとも一つの面にゴルフパターのフェースに装着するための手段が備えられていることを特徴とするゴルフパッティング練習用補助具。
【請求項２】
１対の棒状体が、金属、プラスチック、紙及び木材より成る群から選ばれる材質より成る、請求項１記載のゴルフパッティング練習用補助具。
【請求項３】
１対の棒状体が円柱状又は多角柱状であり、かつ各棒状体の上面又は下面のいずれか一方の面にゴルフパターのフェースに装着するための手段が備えられている、請求項１又は２記載のゴルフパッティング練習用補助具。
【請求項４】
ゴルフパターのフェースに装着するための手段が磁石である、請求項１〜３のいずれか一つに記載のゴルフパッティング練習用補助具。
【請求項５】
１対の棒状体が中空状である、請求項１〜４のいずれか一つに記載のゴルフパッティング練習用補助具。
【請求項６】
１対の棒状体の長さが３０〜８０ｍｍであり、かつ各棒状体の直径が５〜２０ｍｍである、請求項１〜５のいずれか一つに記載のゴルフパッティング練習用補助具。
【考案の詳細な説明】
【技術分野】
【０００１】
本考案は、ゴルフパッティング練習用補助具に関し、更に詳しくは、ゴルフパターのフェースに装着して使用するゴルフパッティング練習用補助具に関する。
【背景技術】
【０００２】
従来から、ゴルフのパッティング練習のために使用する種々の補助具が知られている。これらの補助具としては、ゴルフパターのシャフトに取り付けるもの、ゴルフパターのヘッドの上部に取り付けるもの、及びゴルフパターのフェースに取り付けるもの等がある。
【０００３】
ゴルフパターのシャフトに取り付けるものとしては、例えば、多様な形状のゴルフパターのシャフト部に簡単に脱着可能である鏡面を有したゴルフパター練習用アタッチメント（特許文献１）、パターヘッドの上部シャフトに装着するもので、パターヘッドに沿って延びるパターラインに直角に延びる打ち出しラインの直角形ラインを形成し、該直角形ラインをパターシャフトに装着するためのシャフト固定具から成るもので、該シャフト固定具の締め付け部で打ち出しラインを前後に調整することでボールの真上に合わせることができるものとなり、パターヘッドにパターラインを合わせることで打ち出しライン方向が正確に決まり、該打ち出しラインをホールに向けて打つ練習を繰り返すことによりゴルフパターが効率よく上達することができるゴルフパター練習用装着具（特許文献２）、及び、パターシャフトからグリップ間の所定の位置に取り付ける取り付け部と、この取り付け部に保持されていてパターのヘッド側に伸びてパタースイングの打つ方向を定める方向舵であるパッティングガイドからなるパター標準具であって、前記取り付け部は前記パターの所定の位置に固定あるいは着脱可能に固定されるものであり、前記方向舵であるパッティングガイドは基線を有する棒状体であり、前記取り付け部が前記パターの所定の位置に固定された時に、そのパッティングガイドの基線がパターのライ角と同角度でかつパターフェースを上下に二分する水平線と平行に位置するゴルフパター標準具（特許文献３）等が知られている。
【０００４】
ゴルフパターのヘッドの上部に取り付けるものとしては、例えば、ゴルフパターの中心部の上部に又は後部にあるいは上部から後部にわたって垂直方向に取り付けられ、練習者から見て練習器具本体の両側面が見えず、板厚だけが見えるように構えることで正しいゴルフのパッティングのアドレス位置を得ることができるようにしたパター練習器具（特許文献４）、ゴルフパターのパター部の上部にパター面に対して直角に位置するライン指示体をパター部のスウイートスポットを含む位置にかつ、ライン指示体の前端をパター面前方に向け後端をパター背面後方に延長状態に突設せしめたもの（特許文献５）、ゴルフパターのヘッドの頂面へ付設する練習具であって、下面へ固着部を有し上面を水平状としてヘッドの頂面へ固着する固着板と、該固着板の上面より垂直に突設した支杆と、該支杆の先端へパターのフェース面と直角方向に成るように指示杆の基端辺側部を固定したゴルフパターの練習具（特許文献６）、及び、ゴルフ用具パターのゴルフボールを打つ所の上部に取り付けるプラスチック又は、それに類似する軽量の物又は金属板の方向板（特許文献７）等が知られている。
【０００５】
ゴルフパターのフェースに取り付けるものとしては、例えば、打球面を有するヘッドと、ヘッドから伸びるシャフトと、シャフトの端部に取り付けられたグリップからなるゴルフパターにおいて、前記打球面に着脱自在に取り付けてなるパッティング練習機であって、前記パッティング練習機は基部から下方に伸びる取り付け面と、前記基部から前方に伸びる方向支持板と、前記方向支持板に自重鉛直指示器と鉛直調整器とを備えたパッティング練習機（特許文献８）、コ型の部品の上部にネジ部を設け、ボールが当たるスイートスポット部にピンを設けて構成されたゴルフパター練習具（特許文献９）、及び、背面部をパタークラブの打球面への取付面としたベースの正面部に、前記取付面をパタークラブの打球面へ接した時、打球面と平行でかつ突出した狭い面を有するゴルフパター練習用付属具（特許文献１０）等が知られている。また、ゴルフパターのフェースに取り付けるものではないが、フェースの反対側に、ピンまでのゴルフボールの方向性を目的とした伸縮方向器を設置するもの（特許文献１１）等が知られている。
【０００６】
これらは、いずれもゴルフのパッティング練習のために、ある程度の効果を奏するものではあるが、これで十分というものではなかった。また、いずれも自体特別な形状を有するものであり、場合によっては特別な材質を用いる必要があるため、製作にコストがかかり高価なものとなってしまう。また、何よりも、持ち運び及び着脱が面倒であるという問題を有していた。
【先行技術文献】
【特許文献】
【０００７】
【特許文献１】特開２００５−２７９２０２号公報
【特許文献２】特開２００６−２７１９３０号公報
【特許文献３】特開２００８−２６４５２６号公報
【特許文献４】特開２００９−２８４８３号公報
【特許文献５】実開昭６３−１７４８６３号公報
【特許文献６】実開昭６３−８４２７１号公報
【特許文献７】実用新案登録第３０８３０３５号公報
【特許文献８】特開２００９−２６８４８４号公報
【特許文献９】実開昭６２−７２６７６号公報
【特許文献１０】実開昭６３−１５４０６３号公報
【特許文献１１】実開昭６３−５０３６７号公報
【考案の概要】
【考案が解決しようとする課題】
【０００８】
本考案は、ゴルフのパッティング練習のために、優れた効果を奏するばかりではなく、簡単な構造かつ安価な材質から成り、かつ持ち運び及び着脱が著しく容易なゴルフパッティング練習用補助具を提供するものである。
【課題を解決するための手段】
【０００９】
ゴルフのパッティングを上手に実施するためには、少なくとも、パターヘッドのスウィング方向を正確に認識して、そして、ボールを適確にスイートスポットでとらえる必要がある。それを習得するためのゴルフパッティング練習用具は、パターを常に直線的に振りぬくことができるようになり、かつスウィング中に、スイートスポットの位置を視覚的に正確に認識できるようにするものであることが必要である。本考案者は、このような練習用具を使用すれば、正確なストロークを自然と習得し得ると考えた。その一方、該練習用具は、従来品とは異なり、簡単な構造かつ安価な材質から成り、かつ持ち運び及び着脱が著しく容易である必要がある。本考案者は、かかる観点に立って、種々検討したところ、下記所定のゴルフパッティング練習用補助具を用いれば、これら全てを解決し得ることを見出し、本考案を完成するに至った。
【００１０】
即ち、本考案は、
（１）ゴルフパターのフェースに着脱自在に装着可能なゴルフパッティング練習用補助具であって、１対の棒状体から構成され、かつ各棒状体の少なくとも一つの面にゴルフパターのフェースに装着するための手段が備えられていることを特徴とするゴルフパッティング練習用補助具である。
【００１１】
好ましい態様として、
（２）１対の棒状体が、金属、プラスチック、紙及び木材より成る群から選ばれる材質より成る、上記（１）記載のパッティング練習用補助具、
（３）１対の棒状体が、プラスチックより成る、上記（１）記載のパッティング練習用補助具、
（４）１対の棒状体が、円柱状又は多角柱状である、上記（１）〜（３）のいずれか一つに記載のパッティング練習用補助具、
（５）１対の棒状体が、円柱状である、上記（１）〜（３）のいずれか一つに記載のパッティング練習用補助具、
（６）１対の棒状体が、中空状である、上記（１）〜（５）のいずれか一つに記載のパッティング練習用補助具、
（７）１対の棒状体の上面又は下面のいずれか一方の面にゴルフパターのフェースに装着するための手段が備えられている、上記（４）〜（６）のいずれか一つに記載のパッティング練習用補助具、
（８）ゴルフパターのフェースに装着するための手段が磁石又は粘着剤層である、上記（１）〜（７）のいずれか一つに記載のパッティング練習用補助具、
（９）ゴルフパターのフェースに装着するための手段が磁石である、上記（１）〜（７）のいずれか一つに記載のパッティング練習用補助具、
（１０）１対の棒状体の長さが、３０〜８０ｍｍである、上記（１）〜（９）のいずれか一つに記載のパッティング練習用補助具、
（１１）１対の棒状体の直径が、５〜２０ｍｍである、上記（１）〜（１０）のいずれか一つに記載のパッティング練習用補助具
を挙げることができる。
【考案の効果】
【００１２】
本考案のゴルフパッティング練習用補助具を使用してパッティング練習をすれば、自然に正確なストロークが身につき、かつスイートスポットでインパクトできるようになることから、カップインの確率を格段に上げることができる。また、取り付け及び持ち運びが簡単に可能であることから、練習場においても、ラウンド前のゴルフ場においても、自宅においても、何れの場所においても練習が可能であるばかりではなく、練習用のパターに限られることなく、実際の競技に使用するパター、その他、任意のパターに取り付けて練習可能である。従って、ラウンド前に、練習場又は実際のゴルフ場において、実際の競技に使用するパターに取り付けて、正確なストロークを確認でき、かつイメージトレーニングにも大いに効果的である。
【図面の簡単な説明】
【００１３】
【図１】図１は、本考案のゴルフパッティング練習用補助具の一実施態様を示した説明図である。
【図２】図２は、本考案のゴルフパッティング練習用補助具をゴルフパターのフェースに装着した状態を示した説明図である。
【考案を実施するための形態】
【００１４】
本考案のゴルフパッティング練習用補助具は、１対の棒状体から構成されている。該棒状体の材質は、持ち運び及びパッティング練習の際にゴルフボールが誤ってあたることによって、変形したり、折れ曲がったりするものでなければ、何れのものであってもよい。好ましくは、金属、プラスチック、紙及び木材より成る群から選ばれる。これらのうち、プラスチックがより好ましく使用される。ここで、金属及びプラスチックの種類に特に制限はなく、より安価で加工し易く軽量なものが好ましい。
【００１５】
棒状体の形状に特に制限はないが、より安価に成形できる形状であることが好ましい。好ましくは円柱状又は多角柱状であり得る。より好ましくは円柱状のものが使用される。また、該棒状体は、中空状であることが好ましい。これにより、材料を削減して、より安価かつ軽量にし得る。また、棒状体の寸法も、常識的な範囲であれば特に限定されない。棒状体の長さは、好ましくは３０〜８０ｍｍ、より好ましくは４０〜６０ｍｍ、特に好ましくは４５〜５５ｍｍである。また、棒状体の直径は、好ましくは５〜２０ｍｍ、より好ましくは７〜１３ｍｍである。上記上限を超えては、持ち運び等に不便であるばかりではなく、コスト高にもなる。一方、上記下限未満では、パッティングの練習に際して不都合が生ずることがある。
【００１６】
また、各棒状体の上面又は下面のいずれか一方の面にゴルフパターのフェースに装着するための手段が備えられている。該手段は、好ましくは磁石又は粘着剤層である。好ましくは磁石が使用される。ゴルフパターの材質によっては、例えば、アルミニウムのような場合には、磁石により棒状体をゴルフパターのフェースに装着することができないものもあるため、かかる場合には粘着剤層が有効である。ゴルフパターのフェースに装着する一対の棒状体の間隔は、ゴルフパターのスイートスポットを中心にして、ゴルフボールの外径より大きく、ゴルフパターのフェースの長さより小さい範囲で任意に定めることができる。実際の間隔は、使用者の熟練度により異なるが、ゴルフボールの外径より１５０〜２００％程度大きい間隔とすることが好ましい。
【００１７】
以下、本考案のゴルフパッティング練習用補助具及びその使用方法を、図面を参照にして説明する。
【００１８】
図１には、本考案のゴルフパッティング練習用補助具の一実施態様を示す。棒状体（１）はいずれもプラスチック製であり、同一の形状及び寸法を有する。形状は円柱状かつ中空である。寸法は、上面及び下面の円の直径が１０ｍｍであり、長さが５０ｍｍである。中空部分（３）を形成する上面及び下面の円の直径は８ｍｍである。この棒状体の一端の中空部分に長さ５ｍｍの磁石（２）が挿入されて備えられている。該磁石（２）は、棒状体（１）の中空部分の内壁に接着剤により固定されている。図２には、図１に示したゴルフパッティング練習用補助具をゴルフパターのフェースに装着した状態を示す。ゴルフパッティング練習用補助具を構成する一対の棒状体（１）は、磁石（２）によりパターフェース（４）に装着されている。一対の棒状体（１）の間隔は、スイートスポットを中心にして約３０〜４０ｍｍであり、ゴルフボールの外径約４２ｍｍの約１．５〜２．０倍に設定されている。パッティングの練習に際しては、通常、以下の動作、即ち、（ｉ）一対の棒状体の間にゴルフボールをセットする、（ｉｉ）目線をゴルフボールの真上に持ってくる、（ｉｉｉ）一対の棒状体を目標（カップ）の方向に合わせる、（ｉｖ）真っすぐ後ろにパターを引く、（ｖ）一対の棒状体に当たらないように、ゴルフボールをヒットする、を繰り返し行うことにより、自然に正確なストロークが身につきショートパットを確実にカップインさせることができる。
【産業上の利用可能性】
【００１９】
本考案のゴルフパッティング練習用補助具は、ゴルフのパッティング練習のために、優れた効果を奏するばかりではなく、簡単な構造かつ安価な材質から成り、かつ持ち運び及び着脱が著しく容易である。従って、ゴルフのパッティング練習用として広く使用されることが大いに期待される。また、ゴルフパッティング練習用補助具を構成する一対の棒状体の表面に特別な意匠を施せば、装飾用としての需要も期待でき、また、宣伝広告用としての需要も期待できる。更に、一対の棒状体の片方にペンの機能を設け、もう片方にペンのクリップを付けることにより、スコアを記入するためのペンとしても使用可能なようにすることができる。
【符号の説明】
【００２０】
１  棒状体
２  磁石
３  棒状体の中空部分
４  ゴルフパターのフェース
５  クラブシャフト
【図１】
0003161816.tif 000003
【図２】
0003161816.tif 000004